(57)【要約】      （修正有）【課題】簡単な構成で、太陽電池パネルユニットを傾斜させて連結して、屋根等の設置側体に取付け固定できるパネル連結金具を提供する。【解決手段】第一及び第二板金具２，２２は、第一及び第二締結平板部及び第一及び第二傾斜平板部４，２４を備える。第一傾斜平板部４は上下方向に間隔を空けて第一締結平板部の上方に配置される。各パネル体Ｙ１，Ｙ２は、各傾斜平板部４，２４に当接して傾斜配置される。第一及び第二締結平板部は、上下方向に重ね配置する。重ね配置の各締結平板部は、締結ボルト４６及び締結ナット４７で上下方向から締結される。【選択図】図２２
0003189156.tif 000002
【実用新案登録請求の範囲】
【請求項１】
一のパネル体と他の一のパネル体を連結して、前記各パネル体を屋根等の設置側体に取付け固定するパネル連結金具であって、
［Ａ］第一表裏締結平面を有する第一締結平板部と、
第一表傾斜平面を有し、前記第一表裏締結平面と直交する上下方向において、前記第一一締結平板部に間隔を空けて配置される第一傾斜平板部と、
前記第一締結平板部及び前記第一傾斜平板部を連結する第一連結平板部と、を備え、
前記第一傾斜平板部は前記第一連結平板部上端から前記上下方向と直交する板長方向に延出され、前記第一表傾斜平面は前記上下方向に角度を持って傾斜してなる第一板金具と、
［Ｂ］第二表裏締結平面を有する第二締結平板部と、
第二表傾斜平面を有し、前記板長方向の前記第二締結平板部一端に連結される第二傾斜平板部と、を備え、
前記第二傾斜平板部は前記第二締結平板部一端から前記板長方向に延出され、前記第二表傾斜平面は前記第一表傾斜平面と同一方向に前記角度を持って傾斜してなる第二板金具と、
［Ｃ］前記一のパネル体に前記第一傾斜平板部を取付ける第一パネル取付具と、
［Ｄ］前記他の一のパネル体に前記第二傾斜平板部を取付ける第二パネル取付具と、
［Ｅ］締結ボルト及び締結ナットを有し、前記第一及び第二板金具を締結する締結具と、
を含んで構成され、
［Ｆ］前記第一及び第二傾斜平板部は、
前記一のパネル体を前記第一表傾斜平面に当接して前記上下方向に傾斜して配置し、前記他の一のパネル体を前記第二傾斜平面に当接して前記上下方向に傾斜して配置し、
［Ｇ］前記第一及び第二板金具は、
前記第一及び第二締結平板部の一の表締結平面及び他の一の裏締結平面を当接して、前記各締結平板部を前記上下方向に重ね配置し、
前記板長方向の前記各傾斜平板部間に配置間隔を空けて、前記第一及び第二傾斜平板部を前記上下方向に対峙配置し、
［Ｈ］前記締結具において、
前記締結ボルトは、前記重ね配置の各締結平板部を前記上下方向から挿通し、
前記締結ナットは、前記締結ボルトとの間に前記重ね配置の各締結平板部を配置して、前記締結ボルトに螺着され、
前記締結ボルト又は前記締結ナットを回動して、前記重ね配置の各締結平板部を締結する
ことを特徴とするパネル連結金具。
【請求項２】
［Ｉ］前記第一及び第二板金具は、
アルミニウム合金で製作される
ことを特徴とする請求項１に記載のパネル連結金具。
【考案の詳細な説明】
【技術分野】
【０００１】
本考案は、複数のパネル体を連結して、各パネル体を屋根等の設置側体に取付け固定するパネル連結金具に関する。
【背景技術】
【０００２】
太陽電池パネルを固定する技術として、特許文献１は、太陽光パネル用架台を開示する。太陽光パネル用架台は、太陽光パネルを取付ける架台フレーム、架台フレーム（太陽光パネル）を傾斜する角度調整金具、及び太陽光パネルを架台フレームに固定する抑え金具等で構成される。
太陽光パネル用架台は、抑え金具及び架台フレーム間に太陽光パネルを配置し、ボルト／ナットで抑え金具等を締付けて、抑え金具及び架台フレームで太陽光パネルを挟持固定する。角度調整金具は、起立壁のスリットを摺動する軸部を有し、スリットに沿って架台フレームの前後の高さを変えることで、太陽光パネルを傾斜する。
【先行技術文献】
【特許文献】
【０００３】
【特許文献１】実用新案登録第３１７１８２４号公報
【考案の概要】
【考案が解決しようとする課題】
【０００４】
しかし、特許文献１では、太陽光パネルを傾斜させるため、架台フレームを含む架台、抑え金具及び角度調整金具を必要とし、太陽光パネルを傾斜配置する構造が複雑になるという問題がある。
【０００５】
本考案は、簡単な構成で、複数のパネル体を傾斜させて連結して、屋根等の設置側体に取付け固定できるパネル連結金具を提供することにある。
【課題を解決するための手段】
【０００６】
本考案に係る請求項１は、一のパネル体と他の一のパネル体を連結して、前記各パネル体を屋根等の設置側体に取付け固定するパネル連結金具であって、［Ａ］第一表裏締結平面を有する第一締結平板部と、第一表傾斜平面を有し、前記第一表裏締結平面と直交する上下方向において、前記第一締結平板部に間隔を空けて配置される第一傾斜平板部と、前記第一締結平板部及び前記第一傾斜平板部を連結する第一連結平板部と、を備え、前記第一傾斜平板部は前記第一傾斜平板部上端から前記上下方向と直交する板長方向に延出され、前記第一表傾斜平面は前記上下方向に角度を持って傾斜してなる第一板金具と、［Ｂ］第二表裏締結平面を有する第二締結平板部と、第二表傾斜平面を有し、前記板長方向の前記第二締結平板部一端に連結される第二傾斜平板部と、を備え、前記第二傾斜平板部は前記第二締結平板部一端から前記板長方向に延出され、前記第二表傾斜平面は前記第一表傾斜平面と同方向に前記角度を持って傾斜してなる第二板金具と、［Ｃ］前記一のパネル体に前記第一傾斜平板部を取付ける第一パネル取付具と、［Ｄ］前記他の一のパネル体に前記第二傾斜平板部を取付ける第二パネル取付具と、［Ｅ］締結ボルト及び締結ナットを有し、前記第一及び第二板金具を締結する締結具と、を含んで構成され、［Ｆ］前記第一及び第二傾斜平板部は、前記一のパネル体を前記第一表傾斜平面に当接して前記上下方向に傾斜配置し、前記他の一のパネル体を前記第二表傾斜平面に当接して前記上下方向に傾斜配置し、［Ｇ］前記第一及び第二板金具は、前記第一及び第二締結平板部の一の表締結平面及び他の一の裏締結平面を当接して、前記各締結平板部を前記上下方向に重ね配置し、前記板方向の前記各傾斜平板部間に配置間隔を空けて、前記第一及び第二傾斜平板部を前記上下方向に対峙配置し、［Ｈ］前記締結具において、前記締結ボルトは、前記重ね配置の各締結平板部を前記上下方向から挿通し、前記締結ナットは、前記締結ボルトとの間に前記重ね配置の各締結平板部を配置して、前記締結ボルトに螺着され、［Ｉ］前記締結ボルト又は前記締結ナットを回動して、前記重ね配置の各締結平板部を締結することを特徴とするパネル連結金具である。
【０００７】
本考案に係る請求項２は、前記第一及び第二金具は、アルミニウム合金で製作されることを特徴とする請求項１に記載のパネル連結金具である。
【考案の効果】
【０００８】
本考案に係る請求項１では、第一板金具の第一傾斜平板部（第一傾斜平面）に一のパネル体を当接し、第二板金具の第二傾斜平板部（第二傾斜平面）に他の一のパネル体を当接する。一のパネル体は、第一パネル取付具で第一傾斜平板部に取付ける。他の一のパネル体は第二パネル取付具で第二傾斜平板部に取付ける。続いて、第一及び第二板金具は、第一及び第二締結平板部を上下方向から締結具（締結ボルト及び締結ナット）で締結される。第一及び第二傾斜平板部は、同一方向に同一角度を持って傾斜し、第一傾斜平板部は第二傾斜平板部に対して、上下方向の上方に配置される。
これにより、各パネル体は、第一及び第二金具、第一及び第二パネル取付具、及び締結具（締結ボルト／締結ナット）でなる簡単な構成で傾斜して配置できる。第一及び第二傾斜平板部は、上下方向に間隔を空けて配置されるので、各パネル体は干渉しない。
また、請求項１では、第一及び第二締結平板部を上下方向に重ね配置すると、板長方向において、第一及び第二傾斜平板部間に配置間隔を形成するので、この配置間隔を作業空所にして、作業空所から締結具（締結ボルト及び締結ナット）を重ね配置の第一及び第二締結平板部に配置でき、各締結平板部の締結作業が容易である。
更に、パネル体を傾斜して配置すると、パネル体に付着する塵埃を雨で流すことを促進でき、更にパネルに積った雪等を落下させることを促進できる。特に、パネル体を太陽電池パネルユニットで構成し、太陽電池パネルユニットを傾斜して配置すると、太陽光の受光量を増加できる。
【０００９】
本考案に係る請求項２では、第一及び第二ロック板金具をアルミニウム合金で製作すると、耐食性、耐電蝕性に優れたパネル連結金具となり、耐久年数を向上できる。
【図面の簡単な説明】
【００１０】
【図１】パネル連結金具を示す正面図である。
【図２】パネル連結金具の第一板金具を示す図であって、（ａ）は正面図、（ｂ）は図２（ａ）のＡ−Ａ矢視図である。
【図３】パネル連結金具の第一板金具を示す図であって、（ａ）は図２（ａ）のＢ−Ｂ矢視図、（ｂ）は図２（ａ）のＣ−Ｃ矢視図である。
【図４】パネル連結金具の第二板金具を示す図であって、（ａ）は正面図、（ｂ）は図４（ａ）のＤ−Ｄ矢視図である。
【図５】パネル連結金具の第二板金具を示す図であって、（ａ）は図４（ａ）のＥ−Ｅ矢視図、（ｂ）は図４（ａ）のＦ−Ｆ矢視図である。
【図６】第一パネル固定金具を示す正面図である。
【図７】第二パネル固定金具を示す図であって、（ａ）は正面図、（ｂ）は補足平板の上面図である。
【図８】太陽電池パネルユニット（パネル体）を示す図であって、（ａ）は上面図、（ｂ）は裏面図、（ｃ）は図８（ａ）のＧ−Ｇ断面図である。
【図９】太陽電池パネルユニットを折板屋根（設置側体）に取付け固定した正面図である。
【図１０】図９のＨ−Ｈ矢視図である。
【図１１】図１０のＩ−Ｉ矢視図である。
【図１２】パネル取付金具を折板屋根（設置側体）に取付けた図であって、（ａ）は正面図、（ｂ）は図１２（ａ）の一部拡大正面図である。
【図１３】図１２（ａ）のＪ−Ｊ矢視図である。
【図１４】図１３のＫ−Ｋ矢視図である。
【図１５】パネル連結金具を太陽電池パネルユニット（パネル体）に取付けた上面図である
【図１６】パネル連結金具の第一板金具を下段・太陽電池パネルユニット（パネル体）に取付けた図であって、（ａ）は正面図、（ｂ）は図１６（ａ）のＬ−Ｌ矢視図である。
【図１７】パネル連結金具の第二板金具を太陽電池パネルユニット（パネル体）に取付けた図であって、（ａ）は正面図、（ｂ）は図１７（ａ）のＭ−Ｍ矢視図である。
【図１８】第一パネル固定金具を上段・太陽電池パネルユニット（パネル体）に取付けた上面図である。
【図１９】第一パネル固定金具の第一固定板金具を上段・太陽電池パネルユニット（パネル体）に取付けた図であって、（ａ）は正面図、（ｂ）は図１９（ａ）のＮ−Ｎ矢視図である。
【図２０】第二パネル固定金具を下段・太陽電池パネルユニット（パネル体）に取付けた上面図である。
【図２１】第二パネル固定金具の第二固定板金具を下段・太陽電池パネルユニット（パネル体）に取付けた図であって、（ａ）は正面図、（ｂ）は図２０（ａ）のＯ−Ｏ矢視図である。
【図２２】パネル連結金具で各太陽電池パネルユニットを連結して、パネル取付金具（折板屋根）に取付け固定した正面図である。
【図２３】図２２のＰ−Ｐ矢視図である。
【図２４】図２２のＱ−Ｑ矢視図である。
【図２５】第二パネル固定金具で下段・太陽電池パネルユニットをパネル取付金具（折板屋根）に取付け固定した正面図である。
【図２６】図２５のＲ−Ｒ矢視図である。
【図２７】図２５のＳ−Ｓ矢視図である。
【図２８】第一パネル固定金具で上段・太陽電池パネルユニットをパネル取付金具に取付け固定した正面図である。
【図２９】図２８のＴ−Ｔ矢視図である。
【図３０】図２８のＵ−Ｕ矢視図である。
【考案を実施するための形態】
【００１１】
本考案に係るパネル連結金具について、図１乃至図３０を参照して説明する。
【００１２】
図９乃至図１１において、パネル連結金具（ＰＫ）は、一のパネル体（Ｙ）と他の一のパネル体（Ｙ）を連結して、各パネル体（Ｙ），（Ｙ）を折板屋根等の設置側体（Ｚ）に取付け固定する。
【００１３】
図１乃至図５において、パネル連結金具（ＰＫ）は、第一板金具（２）、第二板金具（２２）、第一及び第二パネル取付具（３５），（４０）、及び締結具（４５）を含んで構成される。
【００１４】
＜第一板金具（２）＞
図１乃至図３において、第一板金具（２）は、第一締結平板部（３）、第一傾斜平板部（４）及び第一連結平板部（５）を備える。
第一板金具（２）は、例えばアルミニウム合金で製作され、第一締結平板部（３）、第一傾斜平板部（４）及び第一連結平板部（５）を一体形成する。
第一板金具（２）は、板幅方向（ＭＵ）に板幅（Ｈ）を有して形成される。
【００１５】
第一締結平板部（３）は、図１乃至図３に示すように、板幅方向（ＭＵ）に板幅（Ｈ）を有して、第一板金具（２）の両幅端（２ａ），（２ｂ）間に形成される。
第一締結平板部（３）は、上下方向（ＵＳ）及び板幅方向（ＭＵ）を直交する板長方向（ＩＬ）に板長（Ｌ１）を有して形成される。
第一締結平板部（３）は、第一表裏締結平面（３Ａ），（３Ｂ）及び第一締結穴（６）を有する。
【００１６】
第一表締結平面（３Ａ）及び第一裏締結平面（３Ｂ）は、上下方向（ＵＳ）に板厚（Ｗ）を有して平行配置される。第一表裏締結平面（３Ａ），（３Ｂ）は、板幅方向（ＭＵ）に板幅（Ｈ）を有して、第一板金具（２）の両幅端（２ａ），（２ｂ）間に形成される。第一表裏締結平面（３Ａ），（３Ｂ）は、板長方向（ＩＬ）に板長（Ｌ１）を有して形成される。
【００１７】
第一締結穴（６）は、第一締結平板部（３）の板幅方向（ＭＵ）中央に形成される。第一締結穴（６）は、第一締結平板部（３）を上下方向（ＵＳ）に貫通する。
【００１８】
第一傾斜平板部（４）は、図１乃至図３に示すように、上下方向（ＵＳ）において、第一締結平板部（３）に間隔（δ１）を空けて配置される。
第一傾斜平板部（４）は、板幅方向（ＭＵ）に板幅（Ｈ）を有して、第一板金具（２）の両幅端（２ａ），（２ｂ）間に形成される。
第一傾斜平板部（４）は、第一連結平板部（５）上端（５ａ）から板長方向（ＩＬ）に延出される。第一傾斜平板部（４）は、板長方向（ＩＬ）に板長（Ｌ２）を有して、第一締結平板部（３）の上方に配置される。
第一傾斜平板部（４）は、第一締結平板部（３）の第一締結穴（６）より第一連結平板部（５）側まで延出する。
これにより、第一締結平板部（３）の板長方向（ＩＬ）他端（３ｄ）、及び第一傾斜平板部（４）の板長方向（ＩＬ）他端（４ｄ）間には、板長方向（ＩＬ）に間隔（δ２）を形成する（図２参照）。
【００１９】
第一傾斜平板部（４）は、第一表裏傾斜平面（４Ａ），（４Ｂ）及び第一パネル取付穴（７）を有する。
【００２０】
第一表傾斜平面（４Ａ）及び第一傾斜裏平面（４Ｂ）は、板厚（Ｗ）を有して平行配置される。
第一表裏傾斜平面（４Ａ），（４Ｂ）は、図１に示すように、第一表裏締結平面（３Ａ），（３Ｂ）と平行する平行面（Ｒｘ）に対し、上下方向（ＵＳ）に角度（θ）を持って傾斜してなる。第一表裏傾斜平面（４Ａ），（４Ｂ）は、例えば、上下方向（ＵＳ）において、平行面（Ｒｘ）から上方に角度（θ）を持って傾斜する。
第一表裏傾斜平面（４Ａ），（４Ｂ）は、板幅方向（ＭＵ）に板幅（Ｈ）を有して、第一板金具（２）の両幅端（２ａ），（２ｂ）間に形成される。第一表裏傾斜平面（４Ａ），（４Ｂ）は、板長方向（ＩＬ）に板長（Ｌ２）を有して形成される。
【００２１】
第一パネル取付穴（７）は、例えば、第一傾斜平板部（４）の板幅方向（ＭＵ）中央に形成される。第一パネル取付穴（７）は、第一表裏傾斜平面（４Ａ），（４Ｂ）と直交して第一傾斜平板部（４）を貫通する。
【００２２】
第一連結平板部（５）は、第一締結平板部（３）及び第一傾斜平板部（５）を連結する。第一連結平板部（５）は、第一締結平板部（３）及び第一傾斜平板部（４）間に配置される。第一連結平板部（５）は、板長方向（ＩＬ）において、第一締結平板部（３）一端（３ｃ）側及び第一傾斜平板部（４）一端（４ｃ）側に配置され、上下方向（ＵＳ）に延出する。
第一連結平板部（５）は、上下方向（ＵＳ）の上端（５ａ）を第一傾斜平板部（４）一端（４ｃ）に連結し、下端（５ｂ）を第一締結平板部（３）一端（３ｃ）に連結する。
第一連結平板部（５）は、第一表裏締結平面（３Ａ）から第一締結平板部（３）一端（３ｃ）側に角度（θ１、例えばθ１＝１００°〜１２０°）を持って傾斜される（図２参照）。
【００２３】
第一連結平板部（５）及び第一締結平板部（３）は、板肉厚部（８Ａ）を有して連結される。板肉厚部（８Ａ）は、各平板部（３），（５）内側に突出して形成される。板肉厚部（８Ａ）は、板幅方向（ＭＵ）に板幅（Ｈ）を有して、第一板金具（２）の両幅端（２ａ），（２ｂ）間に形成される。
【００２４】
第一連結平板部（５）及び第一傾斜平板部（４）は、板肉厚部（８Ｂ）を有して連結される。板肉厚部（８Ｂ）は、各平板部（３），（５）内側に突出して形成される。板肉厚部（８Ｂ）は、板幅方向（ＭＵ）に板幅（Ｈ）を有して、第一板金具（２）の両幅端（２ａ），（２ｂ）間に形成される。
【００２５】
＜第二板金具（２２）＞
第二板金具（２２）は、図１、図４及び図５に示すように、第二締結平板部（２３）及び第二傾斜平板部（２４）を備える。
第二板金具（２２）は、例えばアルミニウム合金で製作され、第二締結平板部（２３）及び第二傾斜平板部（２４）を一体形成する。
第二板金具（２２）は、第一板金具（１）と同様、板幅方向（ＭＵ）に板幅（Ｈ）を有して形成される。
【００２６】
第二締結平板部（２３）は、図１、図４及び図５に示すように、板幅方向（ＭＵ）に板幅（Ｈ）を有して、第二板金具（２２）の両幅端（２２ａ），（２２ｂ）間に形成される。
第二締結平板部（２３）は、板長方向（ＩＬ）に板長（Ｌ３）を有して形成される（図４参照）。
第二締結平板部（２３）は、第二表裏締結平面（２３Ａ），（２３Ｂ）、第二締結穴（２５）及び板収納空所（２６）を有する。
【００２７】
第二表締結平面（２３Ａ）及び第二裏締結平面（２３Ｂ）は、上下方向（ＵＳ）に板厚（Ｗ１）を有して平行配置される。第二締結平板部（２３）の板厚（Ｗ１）は、第一締結平板部（３）の板厚（Ｗ）より厚い。
第二表裏締結平面（２３Ａ），（２３Ｂ）は、板幅方向（ＭＵ）に板幅（Ｈ）を有して、第二板金具（２２）の両幅端（２２ａ），（２２ｂ）間に形成される。第二表裏締結平面（２３Ａ），（２３Ｂ）は、板長方向（ＩＬ）に板長（Ｌ３）を有して形成される。
【００２８】
第二締結穴（２５）は、第二締結平板部（２３）の板幅方向（ＭＵ）中央に形成される。第二締結穴（２５）は、第二締結平板部（２３）を上下方向（ＵＳ）に貫通する。
第二締結穴（２５）は、板収納空所（２６）に開口する。
【００２９】
板収納空所（２６）は、板長方向（ＩＬ）において、第二締結平板（２３）の両端（２３ｃ），（２３ｄ）間に配置される。板収納空所（２６）は、第二締結平板部（２３）の他端（２３ｄ）に開口して、板長方向（ＩＬ）に空所長（Ｌｘ）を有して形成される。空所長（Ｌｘ）は、第一締結平板部（３）の板長（Ｌ１）より長い。
板収納空所（２６）は、上下方向（ＵＳ）に空所高（Ｈｘ）を有して、第二裏締結平面（２３Ｂ）に開口する。空所高（Ｈ）は、第一締結平板部（３）の板厚（Ｗ）と同一である。
板収納空所（２６）は、板幅方向（ＭＵ）に延出し、第二板金具（２２）の両幅端（２２ａ），（２２ｂ）に開口する。
板収納空所（２６）において、上下方向（ＵＳ）の上方平面は、第二表締結平面（２３Ａ）に平行して、第二裏締結平面（２３Ｂ）を構成する。
【００３０】
第二傾斜平板部（２４）は、板長方向（ＩＬ）の第二締結平板部（２３）一端（２３ｃ）に連結される。
第二傾斜平板部（２４）は、板幅方向（ＭＵ）に板幅（Ｈ）を有して、第二板金具（２２）の両幅端（２２ａ），（２２ｂ）間に形成される。
第二傾斜平板部（２４）は、第二締結平板部（２４）一端（２４ｃ）から板長方向（ＩＬ）に延出される。第二傾斜平板部（２３）は、板長方向（Ｌ４）を有して形成される。
第二傾斜平板部（２４）は、第二表裏傾斜平面（２４Ａ），（２４Ｂ）及び第二パネル取付穴（２７）を有する。
【００３１】
第二表傾斜平面（２４Ａ）及び第二裏傾斜平面（２４Ｂ）は、板厚（Ｗ）を有して平行配置される。
第二表裏傾斜平面（２４Ａ），（２４Ｂ）は、第二表裏締結平面（２４Ａ），（２４Ｂ）に対し、第一表裏傾斜平面（４Ａ），（４Ｂ）と同方向に角度（θ）を持って傾斜してなる。
第二表裏傾斜平面（２４Ａ），（２４Ｂ）は、板幅方向（ＭＵ）に板幅（Ｈ）を有して、第二板金具（２２）に両幅端（２２ａ），（２２ｂ）間に形成される。第二表裏傾斜平面（２４Ａ），（２４Ｂ）は、板長方向（ＩＬ）に板長（Ｌ４）を有して形成される。
【００３２】
第二パネル取付穴（２７）は、例えば、第二傾斜平板部（２４）の板幅方向（ＭＵ）中央に形成される。第二パネル取付穴（２７）は、第二表裏傾斜平面（２４Ａ），（２４Ｂ）と直交して第二傾斜平板部（２４）を貫通する。
【００３３】
＜第一パネル取付具（３５）＞
第一パネル取付具（３５）は、一のパネル体（Ｙ）に第一傾斜平板部（４）を取付ける（図１５及び図１６参照）。
第一パネル取付具（３５）は、図１に示すように、第一取付ボルト（３６）及び第一取付ナット（３７）を備える。第一取付ボルト（３６）は、六角頭部（３６Ａ）及びネジ軸部（３６Ｂ）で構成される。第一取付けナット（３７）は、ワッシャ（３８）を介装して第一取付ボルト（３６）のネジ軸部（３６Ｂ）に螺着される。
【００３４】
＜第二パネル取付具（４０）＞
第二パネル取付具（４０）は、他の一のパネル体（Ｙ）に第二傾斜平板部（２４）を取付ける（図１５及び図１７参照）。
第二パネル取付具（４０）は、図１に示すように、第二取付ボルト（４１）及び第二取付ナット（４２）を備える。第二取付ボルト（４１）は、六角頭部（４１Ａ）及びネジ軸部（４１Ｂ）で構成される。第二取付ナット（４２）は、ワッシャ（４３）を介装して第二取付ボルト（４１）のネジ軸部（４１Ｂ）に螺着される。
【００３５】
＜締結具（４５）＞
締結具（４５）は、第一及び第二板金具（２），（２２）を締結する（図２２乃至図２５参照）。
締結具（４５）は、図１に示すように、締結ボルト（４６）及び締結ナット（４７）を備える。締結ボルト（４６）は、六角頭部（４６Ａ）及びネジ軸部（４６Ｂ）で構成される。締結ナット（４７）は、ワッシャ（４８）を介装して締結ボルト（４６）のネジ軸部（４６Ｂ）に螺着される。
【００３６】
＜パネル連結金具（ＰＫ）・適用例＞
次に、パネル連結金具（ＰＫ）の適用例について、図６乃至図１４を参照して説明する。
【００３７】
図９乃至図１４において、パネル連結金具（ＰＫ）は、第一及び第二パネル固定金具（ＫＳ），（ＫＴ）との協働によって、一のパネル体（Ｙ）と他の一のパネル体（Ｙ）を連結して、各パネル体（Ｙ），（Ｙ）を設置側体（Ｚ）に取付け固定する。
また、パネル連結金具（ＰＫ）、第一及び第二パネル固定具（ＫＳ），（ＫＴ）は、設置側体（Ｚ）との間にパネル取付金具（Ｓ）を配置して、各パネル体（Ｙ），（Ｙ）を設置側体（Ｚ）に取付け固定する。
【００３８】
＜第一パネル固定金具（ＫＳ）＞
図６において、第一パネル固定金具（ＫＳ）は、第一板金具（３）、締結具（４５）を備える。
第一パネル固定金具（ＫＳ）は、パネル連結金具（ＰＫ）の第一及び第二板金具（２），（２２）のうち、一方の板金具、例えば第一板金具（２）を選択して、第一固定板金具（２）とする。
【００３９】
第一固定板金具（２）は、パネル連結金具（ＰＫ）と同様、第一締結平板部（３）、第一傾斜平板部（４）、第一連結平板部（５）及び第一パネル取付具（３５）を備える。
第一パネル固定具（ＫＳ）の締結具（４５）は、パネル連結金具（ＰＫ）と同様、締結ボルト（４６）及び締結ナット（４７）を備える。
【００４０】
＜第二パネル固定金具（ＫＴ）＞
図７において、第二パネル固定金具（ＫＴ）は、第二板金具（２２）、締結具（４５）及び補足平板（４９）を備える。
第二パネル固定金具（ＫＴ）は、パネル連結金具（ＰＫ）の第一及び第二板金具（２），（２２）のうち、一方の板金具、例えば第二板金具（２２）を選択して、第二固定板金具（２２）とする。
【００４１】
第二固定板金具（２２）は、パネル連結金具（ＰＫ）と同様、第二締結平板部（２３）、第二傾斜平板部（２５）及び第二パネル取付具（４０）を備える。
第二パネル固定金具（ＫＴ）の締結具（４５）は、パネル連結金具（ＰＫ）と同様、締結ボルト（４６）及び締結ナット（４７）を備える。
【００４２】
補足平板（４９）は、図７に示すように、板幅方向（ＭＵ）に板幅（Ｈ）を有して形成される。補足平板（４９）は、板長方向（ＩＬ）に板長（Ｌ５）を有して形成される。補足平板（４９）の板長（Ｌ５）は、板収納空所（２６）の空所長（Ｌｘ）より短い。
補足平板（４９）は、補足表裏平面（４９Ａ），（４９Ｂ）及び補足締結穴（５０）を有する。
補足表平面（４９Ａ）及び補足裏平面（４９Ｂ）は、上下方向（ＵＳ）に板厚（Ｗ）を有して平行配置される。補足平板（４９）の板厚（Ｗ）は、板収納空所（２６）の空所高（Ｈｘ）と同じである。
補足締結穴（５０）は、補足平板（４９）の板幅方向（ＭＵ）及び板長方向（ＩＬ）中央に配置される。補足締結穴（５０）は、補足平板（４９）を上下方向（ＵＳ）に貫通する。
【００４３】
＜パネル体（Ｙ）＞
図８乃至図１１において、各パネル体（Ｙ），（Ｙ）は、例えば太陽電池パネルユニットで構成される（以下、「太陽電池パネルユニット（Ｙ）」という）。
太陽電池パネルユニット（Ｙ）は、太陽電池パネル（ＳＰ）及びパネル枠（ＰＦ）を含んでなる。
【００４４】
太陽電池パネル（ＳＰ）は、複数の太陽電池セル（図示しない）を並列して、矩形パネル（長方形パネル）に形成される。
【００４５】
パネル枠（ＰＦ）は、太陽電池パネル（ＳＰ）外縁を支持する。パネル枠（ＰＦ）は、矩形枠本体（５１）及び複数（一対）の枠平板部（５２），（５３）を備える。
矩形枠本体（５１）は、太陽電池パネル（ＳＰ）表側に配置され、太陽電池パネル（ＳＰ）の短辺両端及び長辺両端を支持する。
【００４６】
複数の枠平板部（５２），（５３）は、太陽電池パネル（ＳＰ）裏側に配置される。各枠裏平板部（５２），（５３）は、短辺両端の夫々に間隔を隔てて配置され、矩形枠本体（５１）に支持される。
各枠平板部（５２），（５３）は、太陽電池パネル（ＳＰ）外縁を構成する各長辺に沿って配置される。
各枠平板部（５２），（５３）は、矩形枠本体（５１）内側に位置して、太陽電池パネル（ＳＰ）の長手方向（ＮＴ）において、太陽電池パネル（ＳＰ）の長辺両端間に延設される。各枠平板部（５２），（５３）は、太陽電池パネル（ＳＰ）の長手方向（ＮＴ）及び幅方向（ＨＴ）と直交する上下方向（ＵＳ）において、太陽電池パネル（ＳＰ）裏平面（ＳＰ１）と間隔を空けて平行配置される。
各枠平板部（５２），（５３）は、複数のパネル穴（５４），（５４）を有する。各パネル穴（５４），（５４），…は、長手方向（ＮＴ）と直交する直線（ａ１），（ｂ１）上に配置される（図８参照）。各直線（ａ１），（ｂ１）は、長手方向（ＮＴ）に穴間隔（δｐ）を空けて配置される。各パネル穴（５４），（５４）は、太陽電池パネルユニット（Ｙ）の幅方向（ＨＴ）に穴間隔（δｑ）を空けて配置される。
各パネル穴（５４），（５４），…は、各枠平板部（５２），（５３）を上下方向（ＵＳ）に貫通する。
【００４７】
＜太陽電池アレイ（ＢＳ）＞
図９乃至図１１において、太陽電池パネルユニット（Ｙ）は、例えば、１列×２行に並列され、太陽電池アレイ（ＢＳ）を構成する。
太陽電池アレイ（ＢＳ）は、下段・太陽電池パネルユニット（Ｙ１）及び上段・太陽電池パネルユニット（Ｙ２）を備える（図１０及び図１１参照）。
なお、下段・太陽電池パネルユニット（Ｙ１）は、一のパネル体を構成し、上段・太陽電池パネルユニット（Ｙ２）は、他の一のパネル体を構成する。
【００４８】
太陽電池レイ（ＢＳ）において、パネル連結金具（Ｘ１）は、図１０及び図１１に示すように、各太陽電池パネルユニット（Ｙ１），（Ｙ２）間に複数配置され、各固定位置（Ａ１），（Ａ２）で各太陽電池パネルユニット（Ｙ１），（Ｙ２）を連結して、各パネル取付金具（Ｓ），（Ｓ）に取付ける。以下、固定位置（Ａ１）のパネル連結金具（ＰＫ１）、固定位置（Ａ２）のパネル連結金具（ＰＫ２）とする。
【００４９】
太陽電池アレイ（ＢＳ）において、第一パネル固定金具（ＫＳ）は、図１０乃至図１１に示すように、上段・太陽電池パネルユニット（Ｙ２）に複数配置され、各固定位置（Ａ５），（Ａ６）で上段・太陽電池パネルユニット（Ｙ２）を各パネル取付金具（Ｓ），（Ｓ）に取付ける。以下、固定位置（Ａ５）の第一パネル固定金具（ＫＳ１）、固定位置（Ａ６）の第一パネル固定金具（ＫＳ２）とする。
【００５０】
太陽電池アレイ（ＢＳ）において、第二パネル固定金具（ＫＴ）は、図９乃至図１１に示すように、下段・太陽電電池パネルユニット（Ｙ１）に複数配置され、各固定位置（Ａ３），（Ａ４）で下段・太陽電池パネルユニット（Ｙ１）を各パネル取付金具（Ｓ），（Ｓ）に取付ける。以下、固定位置（Ａ３）の第二パネル固定金具（ＫＴ１）、固定位置（Ａ４）の第二パネル固定金具（ＫＴ２）とする。
【００５１】
＜パネル取付金具（Ｓ）＞
図９乃至図１４において、各パネル取付金具（Ｓ），（Ｓ），…は、各固定位置（Ａ１）〜（Ａ６）に配置され、設置側体（Ｚ）に取付けらえる。
パネル取付金具（Ｓ）は、図１２（ｂ）に示すように、第一及び第二金具（６１），（６２）、及び金具締結具（６３）を備える。
第一及び第二金具（６１），（６１）は、上下方向（ＵＳ）及び幅方向（ＷＴ）と直交する長手方向（ＧＴ）に金具長（Ｌｓ）を有して形成される。
第一及び第二金具（６１），（６２）は、上下方向（ＵＳ）の上端に第一及び第二フランジ平板部（６１Ａ），（６２Ａ）を有する。
第一及び第二フランジ平板部（６１Ａ），（６２Ａ）は、第一及び第二金具取付穴（６１Ｂ），（６２Ｂ）を有し、各金具取付穴（６１Ｂ），（６２Ｂ）は各フランジ平板部（６１Ａ），（６２Ａ）を上下方向（ＵＳ）に貫通する。
金具締結具（６３）は、金具締結ボルト（６４）及び金具締結ナット（６５）を備え、金具締結ボルト（６４）は六角頭部（６４Ａ）及びネジ軸部（６４Ｂ）で構成される。金具締結ボルト（６４）は、ネジ軸部（６４Ｂ）を幅方向（ＷＴ）から第一及び第二金具に挿通する。金具締結ナット（６５）は、六角頭部（６４Ａ）との間に第一及び第二金具（６１），（６２）を配置して、ネジ軸部（６４Ｂ）に螺着される。
【００５２】
＜設置側体（Ｚ）＞
図９乃至図１４において、設置側体（Ｚ）は、例えば折板屋根で構成される（以下、「折板屋根（Ｚ）という」。折板屋根（Ｚ）は、幅方向（ＷＴ）に複数の折板山（Ｚ２），（Ｚ２），…及び折板谷（Ｚ３），（Ｚ３），…を交互に連続して構成される。各
折板山（Ｚ２），（Ｚ２），…及び各板谷（Ｚ３），（Ｚ３），…は、図１０及び図１３に示すように、長手方向（ＧＴ）に延在する。
折板屋根（Ｚ）は、各折板山（Ｚ２），（Ｚ２），…の上面にハゼ部（Ｚ１）を突設（形成）してなる。
【００５３】
＜太陽電池パネルユニット（Ｙ１），（Ｙ２）の固定工程（固定方法）＞
以下、上段・太陽電池パネルユニット（Ｙ１）及び下段・太陽電池パネルユニット（Ｙ２）の固定工程（固定方法／施工方法）について、具体的に説明する（図９乃至図３０参照）。
【００５４】
＜第１工程＞
図１２乃至図１４において、複数のパネル取付金具（Ｓ），（Ｓ），…を折板屋根（Ｚ）に取付ける。
各パネル取付金具（Ｓ），（Ｓ），…は、各固定位置（Ａ１）〜（Ａ６）に配置され、第一及び第二金具（６１），（６２）でハゼ部（Ｚ１）を挟持する。
続いて、金具締結ボルト（６３）又は金具締結ナット（６５）を回動して、第一及び第二金具（６１），（６２）を締結（締付け）しつつハゼ部（Ｚ）に圧接する。
これにより、各パネル取付金具（Ｓ），（Ｓ），…は、各固定位置（Ａ１）〜（Ａ６）において、折板屋根（Ｚ）の折板山（Ｚ２）に取付けられる。
各パネル取付金具（Ｓ），（Ｓ），…において、第一及び第二フランジ平板部（６１），（６２）は、折板山（Ｚ２）に平行配置される。
【００５５】
＜第２工程＞
図１５及び図１６において、各パネル連結金具（ＰＫ１），（ＰＫ２）は、下段・太陽電池パネルユニット（Ｙ１）に第一板金具（２）を取付ける。
各パネル連結金具（ＰＫ１），（ＰＫ２）において、第一板金具（２）は、第一パネル取付具（３５）で下段・太陽電池パネルユニット（Ｙ１）に取付けられる。
【００５６】
図１６において、第一板金具（２）は、第一傾斜平板部（４）を下段・太陽電池パネルユニット（Ｙ１）の枠平板部（５３）裏側に配置する。
第一板金具（２）は、枠平板部（５３）の裏平面（５３Ｂ）を第一傾斜平板部（４）の第一表傾斜平面（４Ａ）に当接して配置する。
第一締結平板部（３）及び第一傾斜平板部（４）は、板長方向［ＩＬ：太陽電池パネルユニット（Ｙ１）の幅方向（ＨＴ）］に延出され、第一締結平板部（３）の一部を下段・太陽電池パネルユニット（Ｙ１）外側に配置する。
【００５７】
第一パネル取付具（３６）において、第一取付ボルト（３６）は、図１６に示すように、太陽電池パネル（ＳＰ）及び枠平板部（５３）間に配置される。
第一取付ボルト（３６）は、ネジ軸部（３６Ｂ）をワッシャ（３８）、枠平板部（５３）のパネル穴（５４）及び第一傾斜平板部（４）の第一パネル取付穴（７）を上下方向（ＵＳ（から挿通する。
第一取付ボルト（３６）の六角頭部（３６Ａ）は、ワッシャ（３８）を通して枠平板部（５３）の表平面（５３Ａ）に当接される。
【００５８】
第一パネル取付具（３６）において、第一取付ナット（３７）は、図１６に示すように、第一取付ボルト（３６）の六角頭部（３６Ａ）との間に第一傾斜平板部（４）、枠平板部（５３）及びワッシャ（３８）を配置して、第一取付ボルト（３６）のネジ軸部（３６Ｂ）に螺着される。第一取付ナット（３７）は、第一傾斜平板部（４）に向けて回動され、第一傾斜平板部（４）の第一裏傾斜平面（４Ｂ）に当接される。
【００５９】
これにより、第一パネル取付具（３５）は、第一取付ボルト（３６）及び第一取付ナット（３７）で第一傾斜平板部（４）及び枠平板部（５３）を締結（締付け）して、下段・太陽電池パネルユニット（Ｙ１）に第一板金具（２）を取付ける。
また、各パネル連結金具（ＰＫ１），（ＰＫ２）は、図１５に示すように、太陽電池パネルユニット（Ｙ１）の枠平板部（５３）の長手方向（ＮＴ）に間隔（δｐ）を空けて枠平板部（５２）に取付けられる。
【００６０】
図１５及び図１７において、各パネル連結金具（ＰＫ１），（ＰＫ２）は、上段・太陽電池パネルユニット（Ｙ２）に第二板金具（２２）を取付ける。
各パネル連結金具（ＰＫ１），（ＰＫ２）において、第二板金具（２２）は、第二パネル取付具（４０）で上段・太陽電池パネルユニット（Ｙ２）に取付けられる。
【００６１】
図１７において、第二板金具（２２）は、第二傾斜平板部（２４）を上段・太陽電池パネルユニット（Ｙ２）の枠平板部（５２）裏側に配置する。
第二板金具（２２）は、枠平板部（５２）の裏平面（５２Ｂ）を第二傾斜平板部（２４）の第一表傾斜平面（２４Ａ）に当接して配置する。
第二締結平板部（２３）及び第二傾斜平板部（２４）は、板長方向［Ｌ：太陽電池パネルユニット（Ｙ２）の幅方向（ＨＴ）］に延出され、第二傾斜平板部（２４）の一部及び第二締結平板（２３）を上段・太陽電池パネルユニット（Ｙ２）外側に配置する。
【００６２】
第二パネル取付具（４０）において、第二取付ボルト（４１）は、図１７に示すように、太陽電池パネル（ＳＰ）及び枠平板部（５２）間に配置される。
第二取付ボルト（４１）は、ネジ軸部（４１Ｂ）をワッシャ（４３）、枠平板部（５２）のパネル穴（５４）及び第二傾斜平板部（２４）の第二パネル取付穴（２７）を挿通する。
第一取付ボルト（４１）の六角頭部（４１Ａ）は、ワッシャ（４３）を通して枠平板部（５２）の表平面（５２Ａ）に当接される。
【００６３】
第二パネル取付具（４１）において、第二取付ナット（４２）は、図１７に示すように、第二取付ボルト（４１）の六角頭部（４１Ａ）との間に第二傾斜平板部（２４）、枠平板部（５２）及びワッシャ（４３）を配置して、第二取付ボルト（４１）のネジ軸部（４１Ｂ）に螺着される。第二取付ナット（４２）は、第二傾斜平板部（２４）に向けて回動され、第二傾斜平板部（２４）の第二裏傾斜平面（２４Ｂ）に当接される。
【００６４】
これにより、第二パネル取付具（４０）は、第二取付ボルト（４１）及び第二取付ナット（４２）で第二傾斜平板部（２４）及び枠平板部（５２）を締結（締付け）して、上段・太陽電池パネルユニット（Ｙ２）に第二金具（２２）を取付ける。
また、各パネル連結金具（ＰＫ１），（ＰＫ２）は、図１５に示すように、太陽電池パネルユニット（Ｙ２）の長手方向（ＮＴ）に間隔（δｐ）を空けて枠平板部（５２）に取付けられる。
【００６５】
＜第３工程＞
図１８及び図１９において、各第一パネル固定金具（ＫＳ１），（ＫＳ２）は、上段・太陽電池パネルユニット（Ｙ２）に第一固定板金具（２）を取付ける。
各第一パネル固定金具（ＫＳ１），（ＫＳ２）において、第一固定板金具（２）は、第一パネル取付具（３５）で上段・太陽電池パネルユニット（Ｙ２）に取付けられる。
【００６６】
図１９において、第一固定板金具（２）は、第一傾斜平板部（４）を上段・太陽電電池パネルユニット（Ｙ２）の枠平板部（５３）裏側に配置する。
第一固定板金具（２）は、枠平板部（５３）の裏平面（５３Ｂ）を第一傾斜平板部（４）の第一表傾斜平面（４Ａ）に当接して配置する。
第一締結平板部（３）及び第一傾斜平板部（４）は、板長方向［ＩＬ：太陽電池パネルユニット（Ｙ２）の幅方向（ＨＴ）］に延出され、第一締結平板部（３）の一部を上段・太陽電池パネルユニット（Ｙ２）外側に配置する。
【００６７】
第一パネル取付具（３５）において、第一取付ボルト（３６）は、図１９に示すように、太陽電池パネル（ＳＰ）及び枠平板部（５３）間に配置される。
第一取付ボルト（３６）は、ネジ軸部（３６Ｂ）をワッシャ（３８）、枠平板部（５３）のパネル穴（５４）及び第一傾斜平板部（４）の第一パネル取付穴（７）を挿通する。
第一取付ボルト（３６）の六角頭部（３６Ａ）は、ワッシャ（３８）を通して枠平板部（５３）の表平面（５３Ａ）に当接される。
【００６８】
第一パネル取付具（３５）において、第一取付ナット（３７）は、図１９に示すように、第一取付ボルト（３６）の六角頭部（３６Ａ）の間に第一傾斜平板部（４）、ワッシャ（３８）及び枠平板部（５３）を配置して、第一取付ボルト（３６）のネジ軸部（３６Ｂ）に螺着される。第一取付ナット（３７）は、第一傾斜平板部（４）に向けて回動され、第一傾斜平板部（４）の第一裏傾斜平面（４Ｂ）に当接される。
【００６９】
これにより、第一パネル取付具（３５）は、第一取付ボルト（３６）及び第一取付ナット（３７）で第一傾斜平板部（４）及び枠平板部（５３）を締結（締付け）して、上段・太陽電池パネルユニット（Ｙ２）に第一固定板金具（２）を取付ける。
また、各第一パネル固定金具（ＫＳ１），（ＫＳ２）は、図１８に示すように、太陽電池パネルユニット（Ｙ２）の長手方向（ＮＴ）に間隔（δｐ）を空けて枠平板部（５３）に取付けられる。
【００７０】
＜第４工程＞
図２０及び図２１において、各第二パネル固定金具（ＫＴ１），（ＫＴ２）は、下段・太陽電池パネルユニット（Ｙ１）に第二固定板金具（２２）を取付ける。
各第二パネル固定金具（ＫＴ１），（ＫＴ２）において、第二固定板金具（２２）は、第二パネル取付具（４０）で下段・太陽電池パネルユニット（Ｙ１）に取付けられる。
【００７１】
図２１において、第二固定板金具（２２）は、第二傾斜平板部（２４）を下段・太陽電池パネルユニット（Ｙ１）の枠平板部（５２）裏側に配置する。
第二固定板金具（２２）は、枠平板部（５２）の裏平面（５２Ｂ）を第二傾斜平板部（２４）の第二裏傾斜平面（２４Ｂ）に当接して配置する。
第二締結平板部（２３）及び第二傾斜平板部（２４）は、板長方向［Ｌ：太陽電池パネルユニット（Ｙ２）の幅方向（ＨＴ）］に延出され、第二傾斜平板部（２４）の一部及び第二締結平板部（２３）を下段・太陽電池パネルユニット（Ｙ１）外側に配置する。
【００７２】
第二パネル取付具（４０）において、第二取付ボルト（４１）は、図２１に示すように、太陽電池パネル（ＳＰ）及び枠平板部（５２）間に配置される。
第二取付ボルト（４１）は、ネジ軸部（４１Ｂ）をワッシャ（４３）、枠平板部（５２）のパネル穴（５４）及び第二傾斜平板部（２４）の第二パネル取付穴（２７）を挿通する。
第一取付ボルト（４１）の六角頭部（４１Ａ）は、ワッシャ（４３）を介装して枠平板部（５２）の表平面（５２Ａ）に当接される。
【００７３】
第二パネル取付具（４１）において、第二取付ナット（４２）は、図２１に示すように、第二取付ボルト（４１）の六角頭部（４１Ａ）との間に第二傾斜平板部（２４）、枠平板部（５２）及びワッシャ（４３）を配置して、第二取付ボルト（４１）のネジ軸部（４１Ｂ）に螺着される。第二取付ナット（４２）は、第二傾斜平板部（２４）に向けて回動され、第二傾斜平板部（２４）の第二裏傾斜平面（２４Ｂ）に当接される。
【００７４】
これにより、第二パネル取付具（４０）は、第二取付ボルト（４１）及び第二取付ナット（４２）で第二傾斜平板部（２４）及び枠平板部（５２）を締結（締付け）して、下段・太陽電池パネルユニット（Ｙ２）に第二固定板金具（２２）を取付ける。
また、各パネル連結金具（ＰＫ１），（ＰＫ２）は、太陽電池パネルユニット（Ｙ１）の長手方向（ＮＴ）に間隔（δｐ）を空けて枠平板部（５２）に取付けられる。
【００７５】
＜第５工程＞
図９乃至図１４において、下段・太陽電池パネルユニット（Ｙ１）は、各パネル連結金具（ＰＫ１），（ＰＫ２）の第一板金具（２）及び各第二パネル固定金具（ＫＳ１），（ＫＳ２）の第二固定板金具（２２）を取付けると、各固定位置（Ａ１）〜（Ａ４）のパネル取付金具（Ｓ）に配置される。
【００７６】
下段・太陽電池パネルユニット（Ｙ１）において、各パネル連結金具（ＰＫ１），（ＰＫ２）は、図１０及び図１１に示すように、第一板金具（２）を各固定位置（Ａ１），（Ａ２）に配置する。
各パネル連結金具（ＰＫ１），（ＰＫ２）において、第一締結平板部（３）は、図２２乃至図２５に示すように、パネル取付金具（Ｓ）の第一フランジ平板部（６１Ａ）に載置する。このとき、各パネル連結金具（ＰＫ１），（ＰＫ２）は、第一締結平板部（３）の第一裏平板面（３Ｂ）を第一フランジ平板部（６１Ａ）に当接して、各固定位置（Ａ１），（Ａ２）のパネル取付金具（Ｓ）に配置する。
【００７７】
下段・太陽電池パネルユニット（Ｙ１）において、各第二パネル固定金具（ＫＳ１），（Ｋ２１）は、図９乃至図１４に示すように、補足平板（４９）及び第二固定板金具（２２）を各固定位置（Ａ３），（Ａ４）に配置する。
各第二パネル固定金具（ＫＴ１），（ＫＴ２）において、補足平板（４９）は、図２５乃至図２７に示すように、パネル取付金具（Ｓ）の第一フランジ平板部（６１Ａ）に載置する。
各第二パネル固定金具（ＫＴ１），（ＫＴ２）は、図２５乃至図２７に示すように、第二固定板金具（２２）を第一フランジ平板部（６１Ａ）に載置する。このとき、第二固定板金具（２２）は、板収納空所（２６）内に補足平板（４９）を収納する。第二固定板金具（２２）は、第二裏締結平面（２３Ｂ）を第一フランジ平板部（６１Ａ）に当接して、上下方向（ＵＳ）において、第二締結平板部（３）を第一フランジ平板部（６１Ａ）重ね配置する。
第二パネル固定金具（ＫＴ１），（ＫＴ２）は、板収納空所（２６）の第二裏締結平面（２３Ｂ）を補足平板（４９）の表平面（４９Ａ）に当接して、上下方向（ＵＳ）において、第二締結平板部（３）、補足平板（４９）及び第一フランジ平板部（６１Ａ）を重ね配置する。
【００７８】
これにより、下段・太陽電池パネルユニット（Ｙ１）は、各固定位置（Ａ１）〜（Ａ４）のパネル取付金具（Ｓ）に配置される。
【００７９】
＜第６工程＞
図９乃至図１４において、上段・太陽電池パネルユニット（Ｙ２）は、各パネル連結金具（ＰＫ１），（ＰＫ２）の第二板金具（２２）及び各第一パネル固定金具（ＫＳ１），（ＫＳ２）の第一固定板金具（２）を取付けると、各固定位置（Ａ１），（Ａ２），（Ａ５），（Ａ６）のパネル取付金具（Ｓ）に配置される。
【００８０】
上段・太陽電池パネルユニット（Ｙ２）において、各パネル連結金具（ＰＫ１），（ＰＫ２）は、図１０及び図１１に示すように、第二板金具（２２）を各固定位置（Ａ１），（Ａ２）に配置する。
各パネル連結金具（ＰＫ１），（ＰＫ２）において、第二締結平板部（２３）は、図２２乃至図２４に示すように、下段・太陽電池パネルユニット（Ｙ１）の第一締結平板部（３）及び第一フランジ平板部（６１Ａ）に載置する。
このとき、第二板金具（２２）は、第一締結平板部（３）を板収納空所（２６）内に収納する。第二締結平板部（２３）は、第二裏締結平面（２３Ｂ）を第一フランジ平板部（６１Ａ）に当接して、上下方向（ＵＳ）において、第二締結平板部（２３）を第一フランジ平板部（６１Ａ）に重ね配置する。
第二板金具（２２）は、板収納空所（２６）の第二締結裏平面（２３Ｂ）を第一締結平板部（３）の第一表締結平面（３Ａ）に当接して、第二締結平板部（２３）を上下方向（ＵＳ）から第一締結平板部（３）に重ね配置する。
これにより、各固定位置（Ａ１），（Ａ２）において、各パネル連結金具（ＰＫ１），（ＰＫ２）の第一及び第二締結平板部（３），（２３）は、第一フランジ平板部（６１Ａ）上に上下方向（ＵＳ）から重ね配置される。
また、各パネル連結金具（ＰＫ１），（ＰＫ２）は、図２２乃至図２４に示すように、板長方向（ＩＬ）の各傾斜平板部（４），（２４）間に配置隙間（δｒ）を空けて配置し、第一及び第二傾斜平板部（４），（２４）を上下方向（ＵＳ）に対峙配置する。
【００８１】
上段・太陽電池パネルユニット（Ｙ２）において、各第一パネル固定金具（ＫＳ１），（ＫＳ２）は、図１０及び図１１に示すように、第二固定板金具（２２）を各固定位置（Ａ５），（Ａ６）に配置する。
各第一パネル固定金具（ＫＳ１），（ＫＳ２）において、第一固定板金具（２）は、図２８乃至図３０に示すように、第一フランに平板部（６１Ａ）に載置する。
このとき、第一固定板金具（２）は、第一締結平板部（３）の第一裏締結平面（３Ｂ）を第一フランジ平板部（６１Ａ）に当接して、第一締結平板部（３）を上下方向（ＵＳ）から第一フランジ平板部（６１Ａ）に重ね配置する。
【００８２】
これにより、上段・太陽電池パネルユニット（Ｙ２）は、各固定位置（Ａ１），（Ａ２），（Ａ５），（Ａ６）のパネル取付金具（Ｓ）に配置される。
【００８３】
＜第７工程＞
図９乃至図１１、及び図２２乃至図３０において、各パネル連結金具（ＰＫ１），（ＰＫ２）、各第一パネル固定金具（ＫＳ１），（ＫＳ２）及び第二パネル固定金具（ＫＴ１），（ＫＴ２）は、各太陽電池パネルユニット（Ｙ１），（Ｙ２）を各固定位置（Ａ１）〜（Ａ５）のパネル取付金具（Ｓ）に取付け固定する。
【００８４】
各パネル連結金具（ＰＫ１），（ＰＫ２）は、図２２乃至図２４に示すように、各固定位置（Ａ１），（Ａ２）において、各太陽電池パネルユニット（Ｙ１），（Ｙ２）を連結して、各パネル取付金具（Ｓ），（Ｓ）に取付け固定する。
【００８５】
各パネル連結金具（ＰＫ１），（ＰＫ２）において、締結具（４５）は、図２２乃至図２４に示すように、重ね配置の各締結平板部（３），（２３）及び第一フランジ平板部（６１Ａ）を締結する。
締結具（４５）において、締結ボルト（４６）のネジ軸部（４６Ｂ）は、第一フランジ平板部（６１Ａ）の取付穴（６１Ｂ）、重ね配置の各締結平板部（３），（２３）の第一及び第二締結穴（６），（２６）を上下方向（ＵＳ）から挿通する。締結ナット（４７）は、締結ボルト（４６）の六角頭部（４６Ａ）との間に重ね配置の各締結平板部（３），（２３）、第一フランジ平板部（６１Ａ）及びワッシャ（５０）を配置して、ネジ軸部（４６Ｂ）に螺着される。
続いて、図２２乃至図２４に示すように、締結ボルト（４６）又は締結ナット（４７）を回動して、重ね配置の各締結平板部（３），（２３）及び第一フランジ平板部（６１Ａ）を締結（締付け）する。締結ボルト（４６）の六角頭部（４６Ａ）は、第一フランジ平板部（６１Ａ）裏面に当接され、締結ナット（４７）はワッシャ（４８）を介装して第二締結平板部（２３）の第二表締結平面（２３Ａ）に当接される。
これにより、下段・太陽電池パネルユニット（Ｙ１）と上段・太陽電池パネルユニット（Ｙ２）は、各固定位置（Ａ１），（Ａ２）において、各パネル取付金具（Ｓ），（Ｓ）を通して折板屋根（Ｚ）の折板山（Ｚ２）に取付け固定される。
【００８６】
各第二パネル固定具（ＫＴ１），（ＫＴ２）は、図２５乃至２７に示すように、各固定位置（Ａ３），（Ａ４）において、下段・太陽電池パネルユニット（Ｙ１）を各パネル取付金具（Ｓ）に取付け固定する。
【００８７】
各第二パネル固定金具（ＫＴ１），（ＫＴ２）におて、締結具（４５）は、図２５乃至図２７に示すように、重ね配置の補足平板（４９）及び第二締結平板部（２３）を締結する。
締結具（４５）において、締結ボルト（４６）のネジ軸部（４６Ｂ）は、図２５及び図２６に示すように、第一フランジ部平板部（６１Ａ）の取付穴（６１Ｂ）、補足平板（４９）の補足締結穴（５０）、及び第二締結平板部（２３）の第二締結穴（２５）を上下方向（ＵＳ）から挿通する。締結ナット（４７）は、締結ボルト（４６）の六角頭部（４６Ａ）との間に第一フランジ平板部（６１Ａ）、補足平板（４９）、第二締結平板部（２３）及びワッシャ（４８）を配置して、ネジ軸部（４６Ｂ）に螺着される。
続いて、図２５乃至図２７に示すように、締結ボルト（４６）又は締結ナット（４７）を回動して、重ね配置の第一フランジ平板部（６１Ａ）、補足平板（４９）及び第二締結平板部（２３）を締結（締付け）する。締結ボルト（４６）の六角頭部（４６Ａ）は、第一フランジ平板部（６１Ａ）裏面に当接され、締結ナット（４７）は、ワッシャ（４８）を介装して第二締結平板部（２３）の第二表締結平面（２３Ａ）に当接される。
これにより、下段・太陽電池パネルユニット（Ｙ１）は、各固定位置（Ａ３），（Ａ４）において、各パネル取付金具（Ｓ），（Ｓ）を通して折板屋根（Ｚ）の折板山（Ｚ２）に取付け固定される。
【００８８】
第一パネル固定金具（ＫＳ１），（ＫＳ２）は、図２８乃至図３０に示すように、各固定位置（Ａ５），（Ａ６）において、上段・太陽電池パネルユニット（Ｙ２）を各パネル取付金具（Ｓ），（Ｓ）に取付け固定する。
【００８９】
各第一パネル固定金具（ＫＳ１），（ＫＳ２）において、締結具（４５）は、図２８乃至図３０に示すように、重ね配置の第一締結平板部（３）及び第一フランジ平板部（６１Ａ）を締結する。
締結具（４５）において、締結ボルト（４６）のネジ軸部（４６Ｂ）は、図２８乃至図３０に示すように、第一フランジ平板部（６１Ａ）の取付穴（６１Ｂ）、第一締結平板部（３）の第一締結穴（６）を上下方向（ＵＳ）から挿通する。締結ナット（４７）は、締結ボルト（４６）の六角頭部（４６Ａ）との間に重ね配置の第一フランジ平板部（６１Ａ）、第一締結平板部（３）及びワッシャ（４８）を配置して、ネジ軸部（４６Ｂ）に螺着される。
続いて、図２８乃至図３０に示すように、締結ボルト（４６）又は締結ナット（４７）を回動して、重ね配置の第一フランジ平板部（６１Ａ）及び第一締結平板部（３）を締結（締付け）する。締結ボルト（４６）の六角頭部（４６Ａ）は、第一フランジ平板部（６１Ａ）裏面に当接され、締結ナット（４７）はワッシャ（４８）を介装して第一締結平板部（３）の第一表締結平面（３Ａ）に当接される。
これにより、上流・太陽電池パネルユニット（Ｙ２）は、各固定位置（Ａ５），（Ａ６）において、各パネル取付金具（Ｓ），（Ｓ）を介装して折板屋根（Ｚ）の折板山（Ｚ２）に取付け固定される。
【００９０】
このように、各パネル連結金具（ＰＫ１），（ＰＫ２）は、第一パネル固定金具（ＫＳ１），（ＫＳ２）及び第二パネル固定金具（ＫＴ１），（ＫＴ２）の協働によって、各太陽電池パネルユニット（Ｙ１），（Ｙ２）を折板屋根（Ｚ）に取付け固定する。
パネル連結金具（ＰＫ１），（ＰＫ２）において、第一及び第二傾斜平板部（４），（２４）は、下段・太陽電池パネルユニット（Ｙ１）に第一表傾斜平面（４Ａ）を当接して上下方向（ＵＳ）に傾斜して配置し、上段・太陽電池パネルユニット（Ｙ２）に第二表傾斜平面（２４Ａ）を当接して上下方向（ＵＳ）に傾斜して配置する。
これにより、各太陽電池パネルユニット（Ｙ１），（Ｙ２）は、図１１に示すように、折板屋根（Ｚ）の長手方向（ＧＴ）において、上方に角度（θ）を持って傾斜して折板屋根（Ｚ）に取付け固定される。
また、固定位置（Ａ１），（Ａ２）において、第一及び第一傾斜平板部（４），（２４）は、板長方向（ＩＬ）に配置間隔（δｒ）を空けて配置される。
これにより、締結具（４５）の締結ボルト（４６）及び締結ナット（４７）で第一及び第二締結平板部（３），（２３）を締結する際の作業空所を形成でき、作業性を向上できる。
【００９１】
パネル連結金具（ＰＫ）では、パネル体（Ｙ）として太陽電池パネルユニット（Ｙ１），（Ｙ２）を折板屋根等の設置側体（Ｚ）に取付け固定する構成について説明したが、例えば矩形のパネル建設材を設置側体に取付け固定する場合にも採用できる。パネル建設材は、例えば太陽電池パネルユニット（Ｙ）と同様なパネル穴（５４），（５４），…を有し、図２２乃至３０で説明したと同様に設置側体に取付け固定する。
また、設置側体（Ｚ）は折板屋根に限定されず、パネル連結金具（ＰＫ）、第一及び第二パネル固定金具（ＫＳ），（ＫＴ）はパネル取付金具（Ｓ）を介装することなく、設置側体（Ｚ）に直接、取付け固定する構成も採用できる。
【００９２】
パネル連結金具（ＰＫ）において、太陽電池アレイ（ＢＳ）の並列は、図９乃至図１１の１列×２行に限定されず、複数列×複数行に複数並列する構成にも適用できる。パネル連結金具（ＰＫ）は、各行において各太陽電池パネルユニット間に配置され、図２２乃至２４で説明したと同様、各太陽電池パネルユニットを連結して、設置側体に取付け固定する。
【００９３】
第一及び第二板金具（２），（２２）において、第一及び第二パネル取付穴（７），（２７）は、例えば、太陽電池パネルユニット（Ｙ）のパネル穴（５４）［各パネル穴（５４），（５４）の穴間隔（δｐ）］に対応して、板幅方向（ＭＵ）にずらして配置する構成も採用できる。
【産業上の利用可能性】
【００９４】
本考案は、太陽電池パネルユニット等のパネル体を屋根等の設置側体に取付け固定するのに最適である。
【符号の説明】
【００９５】
ＰＫ  パネル連結金具
２  第一板金具
３  第一締結平板部
３Ａ  第一表締結平面
３Ｂ  第一裏締結平面
４  第一傾斜平板部
４Ａ  第一表傾斜平面
５  第一連結平板部
２２  第二板金具
２３  第二締結平板部
２３Ａ  第一表締結平面
２３Ｂ  第一裏締結平面
２４  第二傾斜平板部
２４Ａ  第二表傾斜平面
３５  第一パネル取付具
４０  第二パネル取付具
４５  締結具
４６  締結ボルト
４７  締結ナット
【図１】
0003189156.tif 000003
【図２】
0003189156.tif 000004
【図３】
0003189156.tif 000005
【図４】
0003189156.tif 000006
【図５】
0003189156.tif 000007
【図６】
0003189156.tif 000008
【図７】
0003189156.tif 000009
【図８】
0003189156.tif 000010
【図９】
0003189156.tif 000011
【図１０】
0003189156.tif 000012
【図１１】
0003189156.tif 000013
【図１２】
0003189156.tif 000014
【図１３】
0003189156.tif 000015
【図１４】
0003189156.tif 000016
【図１５】
0003189156.tif 000017
【図１６】
0003189156.tif 000018
【図１７】
0003189156.tif 000019
【図１８】
0003189156.tif 000020
【図１９】
0003189156.tif 000021
【図２０】
0003189156.tif 000022
【図２１】
0003189156.tif 000023
【図２２】
0003189156.tif 000024
【図２３】
0003189156.tif 000025
【図２４】
0003189156.tif 000026
【図２５】
0003189156.tif 000027
【図２６】
0003189156.tif 000028
【図２７】
0003189156.tif 000029
【図２８】
0003189156.tif 000030
【図２９】
0003189156.tif 000031
【図３０】
0003189156.tif 000032